(57)【要約】【課題】見栄えを良くするカバー体を利用して、簡単な構成及び操作で噴射ヘッド本体を噴射位置に拘束し得るエアゾール容器用トリガ式噴射ヘッドを提供する。【解決手段】エアゾール容器１に突設されたバルブステム３に嵌着するノズル１１及びトリガ操作レバー１６を備えて、噴射口１３から噴射を行う噴射ヘッド本体１０が、エアゾール容器１の頭部に装着されたカバー体２０により側面及び背面がカバーされると共に、通常位置及び下方の噴射位置間で揺動し得るように、噴射ヘッド本体１０から背後に突設された連結片１７の後端部が、カバー体２０の背面部２４にヒンジ結合されている。両側のカバー体側面部２２に、レバー式の連結片用ロック部３０が一体に形成されている。このロック部を回動操作して、噴射ヘッド本体１０が噴射位置を占めるように、連結片１７を下方へ揺動した位置に拘束させる。【選択図】　　　　　図１
2004025047.tif 000002
【特許請求の範囲】
【請求項１】
エアゾール容器の頭部に突設されたバルブステムに基端部が嵌着するノズル及びトリガ操作レバーを備えて、前向きの噴射口から噴射を行う噴射ヘッド本体が、エアゾール容器頭部に装着されたカバー体により少なくとも両側の側面がカバーされると共に、通常位置及び下方の噴射位置間で揺動し得るように、噴射ヘッド本体から背後に突設された連結片の後端部が、カバー体の背面部にヒンジ結合されたエアゾール容器用トリガ式噴射ヘッドにおいて、
両側のカバー体側面部に、噴射ヘッド本体が噴射位置を占めるように、連結片を下方へ揺動した位置に拘束する連結片用ロック部が一体に形成されることを特徴とするエアゾール容器用トリガ式噴射ヘッド。
【請求項２】
連結片用ロック部が、基端部の両側の端部を両側のカバー体側面部にねじれ回転可能に一体成形により連結させたロック片で構成されると共に、このロック片が通常位置から下方位置へ回動操作されると、ロック片の先端が連結片を下方の揺動位置に駆動して拘束することを特徴とする請求項１記載のエアゾール容器用トリガ式噴射ヘッド。
【請求項３】
連結片用ロック片に、通常位置で上方へ延びる操作レバーが突設されていることを特徴とする請求項２記載のエアゾール容器用トリガ式噴射ヘッド。
【請求項４】
連結片用ロック部が、連結片を下方の揺動位置に拘束する挿通ピンを挿通させるように、両側のカバー体側面部に形成された一対のピン挿通孔で構成されることを特徴とする請求項１記載のエアゾール容器用トリガ式噴射ヘッド。
【請求項５】
分離可能に部分的にカバー体に一体成形により連結された挿通ピンが、付属していることを特徴とする請求項４記載のエアゾール容器用トリガ式噴射ヘッド。
【発明の詳細な説明】
【０００１】
【発明の属する技術分野】
本発明は、エアゾール容器の頭部に突設されたバルブステムに基端部が嵌着するノズル及びトリガ操作レバーを備えて、前向きの噴射口から噴射を行う噴射ヘッド本体が、エアゾール容器頭部に装着されたカバー体により少なくとも両側の側面がカバーされると共に、通常位置及び下方の噴射位置間で揺動し得るように、噴射ヘッド本体から背後に突設された連結片の後端部が、カバー体の背面部にヒンジ結合されたエアゾール容器用トリガ式噴射ヘッドに関するものである。
【０００２】
【従来の技術】
特開２０００−１７７７８６号公報によれば、トリガ式噴射ヘッドを備えたエアゾール容器の底面に、ガス抜き具を一体的に取付けたエアゾール容器が開示されている。このような噴射ヘッドのように別途にガス抜き具を構成するのに代えて、ＵＳＰ３，５８０，４３２号公報によれば、曲げ弾性を呈するポールを噴射ヘッド本体の基部に突設して、噴射ヘッド本体の上面に形成した挿通孔から突出させると共に、この挿通孔に連通する別のロック穴を形成することによりエアゾール容器の廃棄時にポールをロック穴に移動させて噴射ヘッド本体を揺動した下方の噴射位置にロックするようにしたトリガ式噴射ヘッドが開示されている。
【０００３】
【発明が解決しようとする課題】
後者の構成によれば、噴射ヘッド自体にロック具を組込むことによりコスト的には有利にし得るが、噴射ヘッド本体を包囲するカバー体を備えたトリガ式噴射ヘッドを前提にしたものではない。
【０００４】
本発明は、このような点に鑑みて、見栄えを良くするカバー体を利用して、簡単な構成及び操作で噴射ヘッド本体を噴射位置に拘束し得るエアゾール容器用トリガ式噴射ヘッドを提供することを目的とする。
【０００５】
【課題を解決するための手段】
本発明は、この目的を達成するために、請求項１により、エアゾール容器の頭部に突設されたバルブステムに基端部が嵌着するノズル及びトリガ操作レバーを備えて、前向きの噴射口から噴射を行う噴射ヘッド本体が、エアゾール容器頭部に装着されたカバー体により少なくとも両側の側面がカバーされると共に、通常位置及び下方の噴射位置間で揺動し得るように、噴射ヘッド本体から背後に突設された連結片の後端部が、カバー体の背面部にヒンジ結合されたエアゾール容器用トリガ式噴射ヘッドにおいて、両側のカバー体側面部に、噴射ヘッド本体が噴射位置を占めるように、連結片を下方へ揺動した位置に拘束する連結片用ロック部が一体に形成されることを特徴とする。
【０００６】
内容物が殆ど消耗した場合のガス抜き、使用過程途中でのエアゾール容器の廃棄、或いは全量噴射のための廃棄噴射に際して、連結片用ロック部で通常位置の連結片が操作されて噴射ヘッド本体が噴射位置に拘束される。或いは、トリガ操作レバーにより噴射ヘッド本体が噴射位置に揺動させられた状態で、連結片用ロック部で連結片が拘束される。
【０００７】
【発明の実施の形態】
図１乃至図３を基に本発明の実施の形態の一例によるエアゾール容器用トリガ式噴射ヘッドを説明する。このトリガ式噴射ヘッドは、先端部に前向きの噴射口１３を有する噴口部材１５が嵌入されるノズル１１及び前端部にトリガ操作レバー１６を備えた逆Ｌ字形の噴射ヘッド本体１０と、その両側、上面及び背面の下部を包囲するように、円形キャップ状のカバー体基部２１に幅狭に立設されたカバー体側面部２２、カバー体上面部２３及びカバー体背面部２４を備えたカバー体２０とより構成されている。
【０００８】
このカバー体は、カバー体基部２１の基部周面部２１ａの下端の複数個所に形成された突起部２７で、円筒状のエアゾール容器１の頭部に装着されたマウンティングカップ２のカール部２ａの外周部に外嵌合している。基部上面部２１ｂの中央部を縦断する開口部２１ｃの両側の縁部に沿ってカバー体側面部２２が、噴射ヘッド本体１０の幅よりも僅かに広く立設されると共に、このカバー体側面部はカバー体基部２１よりも後方へ突出すると共に、その底部２２ａは斜めに上昇し、したがって噴射ヘッド本体１０の下半分をカバーするカバー体背面部２４が、カバー体基部２１の後方の斜め上方に形成されている。これにより、両側のカバー体側面部２２、カバー体上面部２３及びカバー体背面部２４間には、開口部２４ａが斜め後方へ向けて形成されている。
【０００９】
ノズル１１のノズル垂直部１１ａの基端部１２は、マウンティングカップ２の内部に設けられた弁機構から上方付勢状態で突出しているバルブステム３に嵌着する。ノズル水平部１１ｂの下方には、前方へ向けて斜めに下降するトリガ操作レバー１６が形成されている。
【００１０】
ノズル垂直部１１ａの背面の途中位置からはレバー状に連結片１７が背後に後方へ向けて突設され、その後端部に爪部１７ａが形成されている。カバー体背面部２４の内側のカバー体側面部２２間にはリブ面２５が形成されると共に、このリブ面に形成された係止孔２５ａに、爪部１７ａが係止されることにより、噴射ヘッド本体１０は係止孔２５ａを支点として揺動可能にヒンジ結合されている。したがって、噴射ヘッド本体１０は、トリガ操作レバー１６を引くと下方へ押下げ操作されると共に、バルブステム３の上方への付勢により通常位置に復帰可能に下方の噴射位置間で揺動する。
【００１１】
両側のカバー体側面部２２には、噴射ヘッド本体１０を噴射位置に拘束するように、連結片１７を下方へ揺動した位置に拘束する連結片用ロック部３０が一体に形成されている。即ち、このロック部が、略水平位置から下向きに回動操作されて連結片１７を噴射位置に拘束するロック片３１と、Ｌ字形を形成するように、その基端部で上向きに形成された操作レバー３２とより構成されている。ロック片３１の基端部のコーナ部の両側には、ピン形状の連結部３３が突設され、ねじれ回転可能にカバー体側面部２２に一体成形により連結されている。
【００１２】
このように構成されたトリガ式噴射ヘッドの動作は次の通りである。使用開始前には、連結細片１９ａによりノズル水平部１１ｂに支持されたロックプレート１９が、カバー体上面部２３に形成された切込み部２３ａに連結細片１９ａを係入させた状態で、カバー体上面部２３に載置されることにより、噴射ヘッド本体１０は斜め上向きの状態でカバー体上面部２３に拘束されている。
【００１３】
使用に際しては、噴射ヘッド本体１０は、連結細片１９ａを切断してロックが解除されることにより、図１に示す使用可能状態になる。エアゾール容器１を握ってトリガ操作レバー１６を引くと、噴射ヘッド本体１０が連結片１７の後端部を支点として下方へ揺動し、バルブステム３が押下げ操作され、ノズル１１を経由して噴射口１３から内容物が噴射される。
【００１４】
内容物が殆ど消耗した場合に、或いは途中でエアゾール容器１を廃棄する場合、図３に示すように、カバー体側面部２２間の開口部２４ａから指で操作レバー３２を９０°近く略水平位置に回動操作すると、ロック片３１が下向きに回動して連結片１７を噴射位置に拘束する。ロック片３１の先端部は、噴射ヘッド本体１０の反力に対して略垂直方向から連結片１７に係合することにより、指を解放してもロック状態が確保される。突起部２７をマウンティングカップ２のカール部２ａから離脱させると、噴射ヘッド本体１０がエアゾール容器１から分離され、分別廃棄も簡単に行われる。内容液が消火剤等の場合、全量噴射を行うための廃棄噴射も同様に行うことができる。
【００１５】
図４は前述のものと基本的に同一構成のトリガ式噴射ヘッドに設けた別の実施の形態によるロック部を示すもので、前述のものと同一もしくは同等部分は同一符号で説明する。連結片用ロック部が、カバー体側面部２２に沿って配置され、かつ基端部３６ａが分離可能に一体成形により連結された挿通ピン３６と、この挿通ピンの挿通により、両側のカバー体側面部２２における連結片１７を下方へ揺動した位置に拘束し得る位置に形成された一対のピン挿通孔３５とより構成されている。
【００１６】
廃棄時には挿通ピン３６を分離すると共に、トリガ操作レバー１６で噴射ヘッド本体１０を２点鎖線で示す噴射位置に揺動させた状態で、挿通孔３５に挿通ピン３６を挿通して連結片１７を下方の２点鎖線で示す揺動位置にロックする。
【００１７】
尚、さらに別の実施の形態として、噴射ヘッド本体或いはカバー体に挿通ピンを付属させておくことなく、挿通ピンとして爪楊枝、釘等を使用することを前提に、連結片用ロック部を対応する直径の一対のピン挿通孔のみで構成しておくこともできる。さらに、図１において、連結片用ロック部は、操作レバーを設けることなく、基端部を両側のカバー体側面部にねじれ回転可能に連結させたロック片のみで構成することもできる。この場合、ロック片の形状及びカバー体側面部間の空間部は、外部操作可能に適宜変形する。本発明は、噴射ヘッド本体がカバー体の背面部にインテグラルヒンジ部を介して支持されている場合にも当然適用される。
【００１８】
【発明の効果】
請求項１の発明によれば、トリガ式噴射ヘッド付のエアゾール容器の使用後もしくは途中で廃棄する際に、或いは全量噴射を行って廃棄する際に、廃棄処理の終了までトリガ操作レバーを操作し続ける必要がなくなる。連結片用ロック部は、カバー体を利用して操作を容易にして簡単に構成される。請求項２及び請求項３の発明によれば、ロック部の回動操作のみで廃棄噴射可能となる。請求項４及び請求項５の発明によれば、一旦トリガ操作レバーを引いた後に、ピンの挿通のみで廃棄噴射が可能となる。
【図面の簡単な説明】
【図１】本発明の実施の形態によるエアゾール容器用トリガ式噴射ヘッドの断面図である。
【図２】同噴射ヘッドの背面図である。
【図３】同噴射ヘッドの廃棄噴射時の断面図である。
【図４】別の実施の形態によるエアゾール容器用トリガ式噴射ヘッドの側面図である。
【符号の説明】
１　エアゾール容器
２　マウンティングカップ
１０　噴射ヘッド本体
１１　ノズル
１６　トリガ操作レバー
１７　連結片
２０　カバー体
２２　カバー体側面部
２４ａ　開口部
３１　ロック片
３２　操作レバー
３５　ピン挿通孔
３６　挿通ピン
【図１】
2004025047.tif 000003
【図２】
2004025047.tif 000004
【図３】
2004025047.tif 000005
【図４】
2004025047.tif 000006